(57)【要約】【課題】  乗用型コンバインにおいて、運転者に対する充分な音圧が得られ、機体走行時の障害物等への警報や穀粒満杯時の警報が確実となる警報装置を得る。【解決手段】  運転席２前方の前処理部３に、対からなる引起しケース４，４・・を設けたコンバインにおいて、警報装置２０を上記前処理部３の前側で、正面視で前記対からなる引起しケース４，４間に臨ませて設けた。また、前記前処理部の上方部分に、引起し装置Ａに動力を伝達する引起し伝動筒１３を設け、該引起し伝動筒１３に前記警報装置２０を取付け、該警報装置２０の後方に防塵カバー２４を備えた。更に、前記対からなる引起しケース４，４・・の後方に穀稈搬送案内カバー１６を設け、前記警報装置２０を前記前処理部３の運転席２側で、前記穀稈搬送案内カバー１６より後位に設けた。【選択図】      図３
2005341914.tif 000002
【特許請求の範囲】
【請求項１】
運転席前方の前処理部に、対からなる引起しケースを設けたコンバインにおいて、
警報装置を上記前処理部の前側で、正面視で前記対からなる引起しケース間に臨ませて設けた、
ことを特徴とするコンバインの警報装置。
【請求項２】
前記前処理部の上方部分に、引起し装置に動力を伝達する引起し伝動筒を設け、該引起し伝動筒に前記警報装置を取付け、該警報装置の後方に防塵カバーを備えてなる、
請求項１記載のコンバインの警報装置。
【請求項３】
前記対からなる引起しケースの後方に穀稈搬送案内カバーを設け、前記警報装置を前記前処理部の運転席側で、前記穀稈搬送案内カバーより後位に設けてなる、
請求項１又は２記載のコンバインの警報装置。
【発明の詳細な説明】
【技術分野】
【０００１】
本発明は、コンバインに係り、詳しくはその警報装置の取付に関する。
【背景技術】
【０００２】
従来よりこの種のコンバインに係る警報装置においては、コンバイン機体の走行操作時における危険防止用の警報装置を、収穫した穀粒が所定の量に達するとこれを検出して運転者に警報する機能と兼用させたものが出現している。そして、上記警報装置は、通常、コンバインの運転席前側下部に備えられていた（特許文献１参照）。
【０００３】
【特許文献１】実開昭６３−１０７１４４号公報
【発明の開示】
【発明が解決しようとする課題】
【０００４】
上記警報装置は、コンバインの運転席前側下部に取付けられていたため、その前部にあって、刈取作業時に大きな音のする前処理部にその音声が遮ぎられて、運転者に対する充分な音圧が得にくかった。
【０００５】
また、上記欠点を補うために、音圧の大きな警報装置を採用したり、上記前処理部よりも高い位置に設置したりすると、運転席での音圧が大きくなり過ぎて、運転者に不快感を与える基となっていた。
【０００６】
そこで、本発明は、前方に警報装置の音声を遮るものがなく、且つ後方にある運転席方向に防塵用のカバーを設け易く、しかも、前処理部の穀稈搬送時の妨げにならない位置に警報装置を設置することにより上記課題を解消したコンバインの警報装置を提供することを目的とするものである。
【課題を解決するための手段】
【０００７】
請求項１に係る発明は、運転席(2) 前方の前処理部(3) に、対からなる引起しケース(4)(4)を設けたコンバインにおいて、
警報装置(20)を上記前処理部(3) の前側で、正面視で前記対からなる引起しケース(4)(4)間に臨ませて設けた、
ことを第１の特徴とするコンバインの警報装置にある。
【０００８】
また、請求項２に係る発明は、前記前処理部(3) の上方部分に、引起し装置(A) に動力を伝達する引起し伝動筒(13)を設け、該引起し伝動筒(13)に前記警報装置(20)を取付け、該警報装置(20)の後方に防塵カバー(24)を備えてなる、
ことを第２の特徴とするコンバインの警報装置にある。
【０００９】
更に、請求項３に係る発明は、前記対からなる引起しケース(4)(4)の後方に穀稈搬送案内カバー(16)を設け、前記警報装置(20)を前記前処理部(3) の運転席(2)側で、前記穀稈搬送案内カバー(16)より後位に設けてなる、
ことを第３の特徴とするコンバインの警報装置にある。
【００１０】
なお、上記カッコ内の符合は、図面と対照するためのものであるが、これにより特許請求の範囲に何等影響を及ぼすものではない。
【発明の効果】
【００１１】
本発明によると、警報装置を前処理部の前側で、正面視で対となる左右の引起しケース間に臨ませて設けたので、後方の運転席と警報装置との間に一定の距離が確保出来て、警報装置の前方に遮蔽物がない為、充分な音圧が得易くなって、機体走行時の障害物等への警報及び穀粒満杯時の警報が確実になると共に、運転者への不快感もなくなるものである。しかも、上記警報装置が前処理部の外部に突出するものでもないので、機体全体のデザインに悪影響を及ぼすようなこともない。
【００１２】
また、警報装置を前処理部上方の引起し伝動筒に取付け、その後方に防塵カバーを備えてなるので、前処理部の駆動による振動が少なく丈夫な引起し伝動筒により警報装置の警報時のびびり音の出るのが防止されると共に、後方に防塵カバーが設け易いばかりかこれが遮音作用をも成し、運転者へのフィーリングを和らげることが出来る。
【００１３】
更に、警報装置を前処理部の運転席側で、穀稈搬送案内カバーより後位に設けてなるので、刈取った搬送穀稈の穂先側が警報装置に当接して、稈姿勢の乱れ、警報装置の変形等が防止される。
【発明を実施するための最良の形態】
【００１４】
以下、図面に沿って本発明の好ましい実施の形態について説明する。コンバイン１は、図１の正面図や図２の要部左側面図に示す如く、通常のコンバインと同様に、運転席２の前方に前処理部３を備えている。そして、上記前処理部３には、その前方に相対抗する一対の引起しケース４，４、４，４があって、図２の側面視で見てその下部が前方側に突出する傾斜状に設けてあり、しかも、該引起しケース４，４はその内部で移動する多数の引起し爪５・・・を備えていて、これらの引起し爪５・・・が左右相対抗して側方に突出する状態（図１参照）では、圃場の刈取穀稈を梳起すように構成されている。
【００１５】
そこで、先ず、上記引起しケース４の下部側構成について説明するに、引起しケース４下方側前方には、穀稈を条数毎に区分けするための大きいディバイダ６ａ・・・と小さいディバイダ６ｂ・・・とが、交互に下部フレーム７・・・先端に装着されていて夫々が前方側に傾斜して突出している（図２参照）。
【００１６】
また、上記大小の両ディバイダ６ａ，６ｂや引起し爪５，５の直後には、穀稈の株元側を搬送経路Ｈ・・・内に誘導案内するための上下２段からなる左右一対の案内体８，８、８，８やその直後にあって、穀稈の株元側を挟持して徐々に後方上方に搬送する株元搬送装置９・等が設けられている。
【００１７】
更に、上記下部フレーム７・・・の下方には刈刃１０が上記前処理部３の全幅に亘って装着されていて、穀稈の株元側が上記株元搬送装置９・で挟持された時点で穀稈の株元部分を切断するようになっている。
【００１８】
また、図２で、上記引起しケース４の内部には上部の駆動スプロケット１２と下部の従動スプロケット（図示なし）間に掛け回されたチェン５ａに複数の引起し爪５・・が間欠的且つ起伏自在に装着されており、上記駆動スプロケット１２が駆動して上記チェン５ａを回動させることにより、図１の如く左右の引起し爪５・・が相対抗する下部位置（穀稈の茎部引起し位置）で起立突出するものである。
【００１９】
そして、上記引起しケース４の上部側構成において、上記駆動スプロケット１２への動力の伝達は、図１の左側一対の引起しケース４，４を外して示す図３で明白なように、引起し装置Ａに動力を伝達する前処理部３の上部に横設された引起し伝動筒１３からの動力が、各引起しケース４・・毎に縦方向の伝動筒１４・・に伝達されて行なわれるようになっている。
【００２０】
なお、上記引起し伝動筒１３の外側（正面側）には、図１，２に記載の如く、上部（伝動筒）カバー１５が装着されているものである。
【００２１】
また、上記引起しケース４，４の裏面側には、穀稈の株元側を挟持搬送する上記株元搬送装置９・とその上部にあって穂先側を支持案内する穀稈搬送案内カバー１６とがあり、穂先側は、上記穀稈搬送案内カバー１６から、図１，３に記載の穂先搬送装置１７に引継がれて、前処理部３の前部下方で刈取られた穀稈を、上記株元搬送装置９・や穂先搬送装置１７で後方斜め上方側に搬送して、図示していない脱穀装置で脱穀処理を施して、ここで回収された穀粒は穀粒タンク内に貯留される。
【００２２】
更に、符号２０は、前処理部３の運転席２前側で、且つ正面視（図１，３）で上記左右の引起しケース４，４の間に臨ませて設けたホーン（警報装置）であって、その取付け構成は、図４の左後方要部斜視図で明白の如く、上方にあって振動が少なくて丈夫な上記引起し伝動筒１３の裏面中途部に取付用突起２１・を装着し、これを平板状の取付ステー２２・を介して緊締具２３・・にて確り締着したもので、前処理部３の駆動による振動等で、ホーン２０の警報時にびびり音が出るのを防止するようにしている。
【００２３】
また、上記ホーン２０の後方には図２の側面視で明白な如く、防塵カバー２４が設け易く、しかも、警報時にこれが遮音作用をも成し、運転者へのフィリングを和らげる作用を行なうものである。
【００２４】
更に、上記ホーン２０の取付位置は、前述の如く運転席２の直前（図１，３の左側）で、上記穀稈搬送案内カバー１６より後位に設けて、刈取搬送される穀稈の穂先側が上記ホーン２０に当接して、稈姿勢の乱れやホーン２０の変形等が防止される。
【００２５】
なお、上記前処理部３の左右両側面には、側方カバー２６・が装着されていて駆動部分の安全性の確保やデザイン性に配慮しているものであり、該側方カバー２６の上部側には前照灯２７が装着されている（図４参照）。
【００２６】
また、前記運転席２には、前方側に起立状の運転パネル２８があって、その上方にモノレバー２９やステー３０等を備えており、これに対面する後方側に運転座席３１等が備えられている。
【００２７】
更に、コンバイン１の機体下部には左右一対のクローラよりなる移動用の走行装置３２，３２が備えられているものである。
【００２８】
次に、本願発明の作用について説明するに、エンジンからの動力はベルトや伝動軸等を介して下方の走行装置３２・や前方の前処理部３上方の引起し伝動筒１３，株元搬送装置９及び刈刃１０等に伝達され、更に、上記引起し伝動筒１３から各引起し装置Ａ，Ａに伝達される。
【００２９】
即ち、各条毎の伝動筒１４・・を通じて駆動スプロケット１２がチェン５ａを回動させることにより、相対抗する引起し爪５，５が図１，３に記載の如き状態で、立毛穀稈を梳起し、該穀稈の株元側を左右一対の案内体８，８で搬送経路Ｈ，Ｈ内に掻込み、株元搬送装置９，９で挟持してその株元を刈刃１０で刈取ると共に、穂先側を穀稈搬送案内カバー１６で支持案内した後、穀稈の上下の位置で穂先搬送装置１７と株元搬送装置９とで挟持案内しながら、後方斜め上方にある図示外の脱穀装置の入口に搬送してその内部で脱粒処理を施し、コンバイン１が圃場上を移動しながら穀稈の刈取収穫作業を行なう。
【００３０】
この際、ホーン（警報装置）２０は、路上走行を含むコンバイン１走行操作時の危険防止用信号として警報装置の役目を行なうのは当然であるが、同時に後方の脱穀装置で脱粒処理された穀粒がこれを一時的に貯留するタンクやホッパ等に所定量収納されたことを運転者等に知らせる穀粒警報装置としての役目を果たす。
【００３１】
そして、ホーン（警報装置）２０を前処理部３の前側で、正面視で対となる左右の引起しケース４，４間に臨ませて設けたので、後方にある運転席２とホーン２０との間に一定の距離が確保出来て、ホーン２０の前方に遮蔽物がない為、充分な音圧が得易くなって、コンバイン１機体走行時の障害物等への警報や穀粒タンク等の穀粒量満杯時の警報が確実になるばかりでなく、運転者への不快感もなくなるものである。しかも、ホーン２０が、前処理部３の外部に突出するものでもないので、機体全体のデザインに悪影響を及ぼすようなこともない。
【００３２】
また、上記ホーン（警報装置）２０は、前処理部３上方の引起し伝動筒１３に取付け、その後方に防塵カバー２４を設けてなるので、前処理部３の駆動による振動が少なく、丈夫な引起し伝動筒１３により、ホーン２０警報時のびびり音が出るのが防止されると共に、直後にある防塵カバー２４が設け易いばかりかこれが遮音作用をも成し、運転者へのフィーリングを和らげることが出来る。
【００３３】
更に、上記ホーン（警報装置）２０は、前処理部３の運転席２側で、穀稈搬送案内カバー１６より後位に設けてなるので、刈取った搬送穀稈の穂先側がホーン２０に当接して、穀稈の搬送姿勢を乱したり、ホーン２０を変形させるようなこともない。
【００３４】
なお、本発明の実施例は４条刈のコンバインで説明したが、本発明は、２〜３条刈のような比較的小型のコンバインの場合には、ホーン（警報装置）を前処理部の側板や前照灯と一体的に装着しても遜色がなく、要するに４条刈以上のような比較的大型のコンバインに採用した場合に、その効果がより顕著となるものである。
【図面の簡単な説明】
【００３５】
【図１】コンバインの正面図である。
【図２】同上前処理部の側方カバーを外した左側面図である。
【図３】同上図１の左側一対の引起しケースを外した正面図である。
【図４】同上左後方から見た要部の斜視図である。
【符号の説明】
【００３６】
１    コンバイン
２    運転席
３    前処理部
４    引起しケース
１３    引起し伝動筒
１６    穀稈搬送案内カバー
２０    ホーン（警報装置）
２４    防塵カバー
２６    側方カバー
Ａ    引起し装置
Ｈ    搬送経路
【図１】
2005341914.tif 000003
【図２】
2005341914.tif 000004
【図３】
2005341914.tif 000005
【図４】
2005341914.tif 000006